(57)【特許請求の範囲】
【請求項１】
人体の対象部位に直接的または間接的に接触されて使用される磁気シートであって、
シリコーンゴムにより形成された母材と、前記母材に埋設された磁性体と、前記母材に埋設され、前記母材よりも熱伝導率が低い物質を含む断熱部とを備え、
前記断熱部が、前記母材に空気が封入されて形成され、
前記断熱部が、前記磁性体よりも大きいサイズに形成され、
前記母材には、前記対象部位に接触する前記母材の面に沿って、前記断熱部を含まず前記磁性体が埋設された部分と、前記磁性体を含まず前記断熱部が埋設された部分とが形成されていることを特徴とする磁気シート。
【請求項２】
サポータ本体と、
前記サポータ本体の対象部位の側に取り付けられる、請求項１記載の磁気シートと
を備えた磁気サポータ。
【発明の詳細な説明】
【技術分野】
【０００１】
本発明は、磁気シートおよび磁気サポータに関する。
【背景技術】
【０００２】
従来、人体の対象部位に装着されて使用され、締め付けによる緊縮効果に加え、磁力による磁気治療効果を対象部位にもたらす磁気サポータが知られている。たとえば、特許文献１の磁気サポータは、柔軟なプラスチック基材の一面に多数の磁石片が埋設された磁気シートと、磁気シートが着脱可能に取り付けられたサポータ主体とを備えている。
【先行技術文献】
【特許文献】
【０００３】
【特許文献１】実開昭５８−７０２４５号公報
【発明の概要】
【発明が解決しようとする課題】
【０００４】
しかし、特許文献１の磁気サポータの磁気シートでは、磁気シートのプラスチック基材がほぼ全面に亘って均一に形成されて熱が放散しやすい構造を有しているため、たとえ磁石片により対象部位の血行が良くなって温度が上昇しても、プラスチック基材を通じて対象部位の熱が逃げて温度が低下しやすく、十分な磁気治療効果を得ることができない。
【０００５】
本発明は、上記問題に鑑みなされたもので、断熱効果に優れた磁気シートおよび磁気サポータを提供することを目的とする。
【課題を解決するための手段】
【０００６】
本発明の磁気シートは、人体の対象部位に直接的または間接的に接触されて使用される磁気シートであって、軟質性樹脂材により形成された母材と、前記母材に埋設された磁性体とを備え、前記母材よりも熱伝導率が低い物質を含む断熱部が設けられていることを特徴とする。
【０００７】
また、前記断熱部が、前記物質が前記母材内に封入されて形成されることが好ましい。
【０００８】
また、前記物質が、気体であることが好ましい。
【０００９】
本発明の磁気サポータは、サポータ本体と、前記サポータ本体の対象部位の側に取り付けられる上述の磁気シートとを備えていることを特徴とする。
【発明の効果】
【００１０】
本発明によれば、断熱効果に優れた磁気シートおよび磁気サポータを提供することができる。
【図面の簡単な説明】
【００１１】
【図１】（ａ）は、本発明の一実施形態に係る磁気シートを備えた磁気サポータの表面（内側）図であり、（ｂ）は、（ａ）の磁気サポータの裏面（外側）図である。
【図２】（ａ）は、本発明の一実施形態に係る磁気シートの上面図であり、（ｂ）は、（ａ）の磁気シートのＡ−Ａ線断面図である。
【図３】図１および図２の磁気シートから延びる磁力線を模式的に示す、磁気シートの断面図である。
【図４】図１の磁気サポータを人体の腰に装着した状態を示す図であり、（ａ）は、人体の後側から見た図であり、（ｂ）は、人体の前側から見た図である。
【発明を実施するための形態】
【００１２】
以下、図面を参照して、本発明の一実施形態に係る磁気シートおよび磁気シートを備えた磁気サポータについて説明する。ただし、以下で説明する磁気シートおよび磁気サポータは、あくまで一例であり、本発明の磁気シートおよび磁気サポータは、以下の実施形態に限定されるものではない。
【００１３】
本発明の一実施形態に係る磁気シートを備えた磁気サポータ１は、たとえば図４（ａ）および図４（ｂ）に示されるように、人体の腰などの対象部位に装着されて使用される。磁気サポータ１は、人体の対象部位に対して、締め付けによる緊縮効果をもたらすとともに、対象部位の皮膚の表面および皮膚表面近傍の体内に磁場を与え、これらの部位およびその周辺の血行を促進したり、代謝を向上したりするなどの磁気治療効果をもたらす。磁気サポータ１が装着される対象部位としては、上述した緊縮効果および磁気治療効果が発揮される部位であれば、たとえば腕、脚、肩など、人体のいかなる部位であってもよい。
【００１４】
磁気サポータ１は、図１に示されるように、サポータ本体２と、サポータ本体２の対象部位の側（以下、「内側」という）に取り付けられる磁気シート３とを備えている。
【００１５】
サポータ本体２は、人体の対象部位に装着されて、その締め付け力により対象部位に緊縮効果をもたらす。サポータ本体２は、本実施形態では、図１（ａ）および図１（ｂ）に示されるように、全体として帯状に形成され、略中央に腰に当接する腰当部２１と、腰当部２１のそれぞれの両端から両側に延び、伸縮可能に構成された伸縮部２２、２２と、伸縮部２２、２２のそれぞれからサポータ本体２の両端まで延び、面ファスナーが設けられた先端係合部２３、２３とを備えている。本実施形態では、図４（ａ）および図４（ｂ）に示されるように、サポータ本体２の腰当部２１が人体の腰部分に当接され、サポータ本体２の伸縮部２２、２２および先端係合部２３、２３が人体の腰部分から腹部分にかけて巻き付けられ、サポータ本体２の先端係合部２３、２３の面ファスナー同士が人体の腹部分で係合されて、磁気サポータ１が人体の腰回りに固定される。ただし、サポータ本体２は、人体の対象部位に装着されて、その締め付け力により対象部位に緊縮効果をもたらすことができれば、上述した例に限定されることはなく、装着される対象部位の形状に応じて、筒状など他の公知のサポータの形状に形成することができる。
【００１６】
磁気シート３は、人体の対象部位に直接的または間接的に接触されて使用され、対象部位の皮膚の表面および皮膚表面近傍の体内に対して磁場を生成する。磁気シート３は、対象部位に対して磁場を生成することにより、これらの部位およびその周辺の血行を促進したり、代謝を向上したりするなどの磁気治療効果をもたらす。磁気シート３は、本実施形態では、図１（ａ）に示されるように、サポータ本体２の内側に取り付けられ、磁気サポータ１が対象部位に装着されたときに、対象部位の皮膚に直接的または（衣服などを介して）間接的に接触される。本実施形態では、２つの磁気シート３が、腰当部２１の内側に間隔をおいて取り付けられている。このように複数の磁気シート３をサポータ本体２の内側に間隔をおいて取り付けることにより、磁気サポータ１が対象部位に装着されたときに、隣り合う磁気シート３の間に熱伝導率の低い空気層が形成されるので、磁気シート３により上昇した体温が低下するのを抑制することができる。そして、後述する断熱部３３とともに、体温の低下を段階的に抑制することができる。磁気シート３は、本実施形態では、サポータ本体２の腰当部２１の内側に取り付けられているが、サポータ本体２の内側であれば、サポータ本体２の他の場所に取り付けられてもよく、その取り付け位置は、対象部位に応じて適宜決定することができる。また、磁気シート３のサポータ本体２への取り付け方法は、特に限定されることはなく、面ファスナーによる係合、両面テープによる貼付、熱融着、サポータ本体２に設けられるポケットなどの収容部への挿入、縫合など、いかなる公知の取り付け方法をも採用することができる。また、磁気シート３は、サポータ本体２に取り付けられることなく、単体として使用することもできるし、サポータ本体２ではない他のバンドなどの取付手段に取り付けられて使用することもできる。磁気シート３の接触される対象部位としては、上述した磁気治療効果が発揮される部位であれば、たとえば腕、脚、肩など、人体のいかなる部位であってもよい。
【００１７】
磁気シート３は、図２（ａ）および図２（ｂ）に示されるように、軟質性樹脂材により形成された母材３１と、母材３１に埋設された磁性体３２とを備えている。磁気シート３は、母材３１に埋設された磁性体３２により、人体の対象部位の皮膚の表面および皮膚表面近傍の体内に磁場を与え、これらの部位およびその周辺の血行を促進したり、代謝を向上したりするなどの磁気治療効果をもたらす。
【００１８】
母材３１は、軟質性樹脂材により形成され、人体の対象部位に直接的または間接的に接触する部材である。母材３１は、軟質性樹脂材により形成されることで、人体の対象部位の形状に応じて変形が容易であり、より確実に対象部位の皮膚に直接的または間接的に接触される。母材３１は、本実施形態では、図２（ａ）および図２（ｂ）に示されるように、全体として略矩形の板状に形成されている。ただし、母材３１の形状や大きさは、対象部位の形状および大きさに応じて適宜決定することができる。また、母材３１の成形方法は、射出成形、押出成形、注型成形、２つまたは３つ以上の軟質性樹脂材のシートの接着など、公知の成形方法を採用することができる。
【００１９】
母材３１を形成する軟質性樹脂材としては、母材３１が対象部位の形状に応じて変形可能となるような軟質性を有していれば、特に限定されることはなく、たとえばシリコーンゴム、軟質塩ビ、ポリウレタン、ポリエステル、各種エラストマーなど公知の軟質性の樹脂材料を用いることができる。その中でも、シリコーンゴムは、粘着性を有しているため、磁気シート３が対象部位の皮膚に直接接触される場合には、対象部位の皮膚との良好な密着性が得られるため好適に用いられる。
【００２０】
磁性体３２は、対象部位の皮膚の表面および皮膚表面近傍の体内に対して磁場を生成する部材である。磁性体３２は、図３に示されるように、磁気シート３が対象部位に接触されたときに、対象部位の皮膚の表面から内部にかけて磁力線が延びるように、母材３１の内部に埋設される。磁性体３２は、本実施形態では、対象部位の皮膚側にＳ極またはＮ極が面し、磁性体３２の磁極方向が母材３１の厚さ方向に対して略平行になるように配置される。これにより、皮膚表面に対して略垂直な方向に磁力線Ｍが延びるので、皮膚表面から体内のより深くまで磁気が作用することになる。ただし、磁性体３２は、対象部位に対して磁場を生成することができればよく、たとえば磁性体３２の磁極方向は、母材３１の厚さ方向（または皮膚表面に対して略垂直な方向）に対して傾斜するなど、他の方向を向いていても構わない。
【００２１】
磁性体３２は、本実施形態では、図２（ａ）および図２（ｂ）に示されるように、略円板状に形成され、母材３１の厚さ方向の略中央近傍に配置されている。特に、磁性体３２は、図３に示されるように、磁性体３２から延びる磁力線Ｍが、後述する断熱部３３の直下または近傍の対象部位を通過するように、断熱部３３の近傍に配置されている。したがって、断熱部３３の直下または近傍の対象部位において、磁力線Ｍにより血行が促進して温度が上昇するが、断熱部３３により温度低下が抑制されて保温状態が維持されるので、磁気治療効果を維持することができる。しかし、磁性体３２は、対象部位に対して磁場を生成して、対象部位の皮膚やその内部に磁力を及ぼすことができれば、その形状や配置は特に限定されることはない。たとえばその形状は、略球形状の粒状やより小さい粉体状であってもよいし、磁性体粉末を混練した磁気ペーストから形成されたシート状であってもよい。またその配置は、母材３１の厚さ方向のいずれか一方に偏在していてもよいし、母材３１の表面から突出していてもよいし、厚さ方向に均一に分散していてもよい。
【００２２】
磁性体３２の母材３１への埋設方法は、特に限定されることはなく、たとえば成形される前の溶融した軟質性樹脂材の中に磁性体３２を配置する方法や、接着される前の２つの軟質性樹脂材のシートの間に磁性体３２を配置する方法などを採用することができる。
【００２３】
磁性体３２の材質としては、対象部位に対して磁場を生成することができれば、特に限定されることはなく、たとえばフェライト、ネオジウム、サマリウムコバルト、ガドリニウム系合金、ランタン系合金などの永久磁石を採用することができる。
【００２４】
磁気シート３はさらに、図２（ａ）および図２（ｂ）に示されるように、母材３１よりも熱伝導率が低い物質を含む断熱部３３が設けられている。断熱部３３は、母材３１よりも熱伝導率が低い物質を含むことにより、磁気シート３の他の部分よりも高い断熱性能を有している。したがって、磁気シート３に含まれる磁性体３２により生成した磁場によって対象部位の血行が促進して対象部位の温度が上昇したときに、磁気シート３を通した熱伝達による冷却が抑制される。そして、対象部位の冷却が抑制されることにより、血行が促進された対象部位が適度な保温状態を維持することができ、磁気治療効果を持続することができる。
【００２５】
断熱部３３は、本実施形態では、母材３１よりも熱伝導率が低い物質が母材３１内に封入されて形成されている。より詳細には、図２（ａ）および図２（ｂ）に示されるように、母材３１の内部に内部空間３３ａが設けられ、その内部空間３３ａに母材３１よりも熱伝導率が低い物質が封入されている。ここで、断熱部３３を母材３１とは別体として形成した場合には、磁気シート３を製造する工程において、母材３１と断熱部３３とを接合するためのさらなる工程が必要になる。しかし、本実施形態のように、断熱部３３を、母材３１よりも熱伝導率が低い物質を母材３１内に封入して、母材３１と一体として形成することにより、余分な工程が必要ないので、磁気シート３の製造のための時間とコストを削減することができる。ただし、断熱部３３は、母材３１よりも熱伝導率が低い物質を含み、磁気シート３の他の部分よりも高い断熱性能を有するように形成されていればよく、たとえば母材３１よりも熱伝導率が低い樹脂材料などの物質が母材３１から外部に突出するように配置されて形成されても構わない。
【００２６】
母材３１内に封入される物質としては、母材３１よりも熱伝導率が低い物質であれば、特に限定されることはないが、空気、窒素ガス、炭酸ガス、希ガスなどの気体を好適に用いることができる。その理由は、気体は、磁気シート３の製造工程において、母材３１内に容易に封入させることができるからである。その気体の中でも、入手や取り扱いが容易な空気をより好適に用いることができる。たとえば、母材３１がシリコーンゴムにより形成されている場合には、母材３１の熱伝導率は約０．２Ｗ／ｍＫであるが、空気の熱伝導率は０．０２〜０．０３Ｗ／ｍＫで、母材３１の熱伝導率の１／１０程度である。母材３１内に封入する物質が空気であれば、追加の材料費が必要なく、また製造も容易であるため、製造コストを大幅に削減することができる。
【００２７】
母材３１よりも熱伝導率が低い物質を母材３１内に封入する方法としては、特に限定されることはなく、たとえば溶融状態の軟質性樹脂材の中にその物質を送り込んだ後に軟質性樹脂材を固化させても良いし、２枚の軟質性樹脂材シートの間にその物質を挿入した後にシート同士を融着させてもよい。
【符号の説明】
【００２８】
１  磁気サポータ
２  サポータ本体
２１  腰当部
２２  伸縮部
２３  先端係合部
３  磁気シート
３１  母材
３２  磁性体
３３  断熱部
３３ａ  内部空間
Ｍ  磁力線
【図１】
0006602723.tif 000002
【図２】
0006602723.tif 000003
【図３】
0006602723.tif 000004
【図４】
0006602723.tif 000005